(57)【要約】【課題】経年建物のリフォーム等に際し、外壁パネルに孔をあけたり表面の起伏模様を損傷したりすることなく、屋外側から壁つなぎを躯体に対して強固に連結することができる外壁構造を提供する。【解決手段】外壁の一部を屋外側から着脱し得る着脱可能パネル１２とし、着脱可能パネル１２の裏面には、該パネルの裏面よりも屋内側に後退した位置から当該着脱可能パネル１２の側縁近傍まで張り出す添接片部６０４を備えた添接金具６０を取り付けるとともに、隣接パネル１１には、その裏面の縁部に、屋外側から操作し得る係着部材５０を備えた係着金具５１を取り付け、隣接パネル１１の間に着脱可能パネル１２を建て込んで、添接金具６０の添接片部６４を係着金具５１の張出片部５１４に重ねた状態で係着部材５０で押さえることにより、着脱可能パネル１２を隣接パネル１１に係着する。【選択図】  図１１
2018071108.tif 000002
【特許請求の範囲】
【請求項１】
複数枚の外壁パネルが、その裏面に取り付けられたフック部を有する係合金具を用いて、建物の躯体側に設けられたリップ付きのレール部材に屋内側からのボルト締結作業によって係着された外壁構造を備える建物において、
前記外壁パネルの一部が、屋外側から着脱し得る着脱可能パネルとなされた外壁構造であって、
前記着脱可能パネルの裏面には、当該着脱可能パネルの裏面よりも屋内側に後退した位置から当該着脱けパネルの側縁近傍まで張り出す添接片部を備えた添接金具が取り付けられるとともに、
前記着脱可能パネルの左右に隣接する外壁パネルには、その裏面の縁部に、該裏面よりも屋内側に後退した位置から前記着脱可能パネルの取付位置側へ張り出す張出片部と、該張出片部に取り付けられて屋外側から操作し得る係着部材と、を備えた係着金具が取り付けられ、
前記隣接パネルの間に前記着脱可能パネルが建て込まれ、前記添接金具の前記添接片部が前記係着金具の前記張出片部に重ねられた状態で前記係着部材に係着されることにより、前記着脱可能パネルが隣接する外壁パネルに係着された
ことを特徴とする外壁パネルの取付構造。
【請求項２】
請求項１に記載された外壁パネルの取付構造において、
前記添接金具は、前記着脱可能パネルの裏面に固定される背板部と、前記背板部の側縁から持出し部を介して延設された前記添接片部と、を具備する一方、
前記係着金具は、前記着脱可能パネルに隣接する外壁パネルの裏面に固定されて側方に張り出す基板と、その基板に取り付けられた係着部材と、を具備して、前記基板に前記張出片部が形成され、
前記係着部材は、前記張出片部の屋外側に固定されるブラケットと、前記ブラケットにキャップボルトを介して取り付けられた押え爪片とを具備して、前記押え爪片の先端が屋内側へ向けて斜めに屈曲されるとともに、前記キャップボルトに挿装されたコイルばねにより前記押え爪片が前記基板の張出片部から離反する向きに付勢された状態で、縦向きから横向きまでの範囲内で回動しうるように保持され、
前記係着金具の前記張出片部に重ねられた前記添接金具の前記添接片部に、屋外側から前記係着金具の前記押え爪片が重ねられ、前記キャップボルトの締結により前記押え爪片が固定されて、前記着脱可能パネルが隣接する外壁パネルに係着された
ことを特徴とする外壁パネルの取付構造。
【請求項３】
請求項１または２に記載された外壁パネルの取付構造において、
前記着脱可能パネルが、建物の躯体を構成する各階上部の横架材に面して配置された
ことを特徴とする外壁パネルの取付構造。
【請求項４】
請求項３に記載された外壁パネルの取付構造において、
前記着脱可能パネルが取り外されて、その取り外し箇所に面する前記横架材に壁つなぎ連結金具が結合された
ことを特徴とする外壁パネルの取付構造。
【請求項５】
請求項３に記載された外壁パネルの取付構造において、
前記着脱可能パネルの取付箇所の壁内に、壁つなぎ連結金具が、前記横架材に結合された状態で収納されている
ことを特徴とする外壁パネルの取付構造。
【発明の詳細な説明】
【技術分野】
【０００１】
本発明は、建物の躯体に外壁パネルを取り付けて形成される外壁構造に関し、より詳細には、リフォーム等に際して外壁パネルの一部を取り外し、躯体に足場を連結できるようにした外壁構造に関する。
【背景技術】
【０００２】
本出願人は、特に鉄骨造の工業化住宅に好適な外壁構造として、カーテンウォール方式の外壁構造を実用化し、長期間にわたって実施している。
【０００３】
図１〜図４は、本出願人が特許文献１等に開示している外壁構造の要部を示している。この外壁構造に採用される外壁パネル１０は、セメント系材料やセラミック系材料等を押出成形するなどして所定の形状に加工したものである。外壁パネル１０の表面（屋外側の面）には天然石材や煉瓦等の質感を模した起伏模様が形成され、裏面（屋内側の面）は略平坦に形成されて、厚み方向における中間部分には上下方向に連通する複数箇所の中空孔１０１が形成されている。
【０００４】
この外壁パネル１０は、図５に示すような係合金具２０を用いて、躯体を構成する鉄骨梁３０等（最下階にあっては基礎３１）に取り付けられる。係合金具２０は、鋼板をプレス加工するなどして形成された部材であり、その中央には上下方向に延びる長孔２０１が設けられ、上下いずれかの辺縁に側面視略Ｖ字形のフック部２０２が設けられている。この係合金具２０が、フック部２０２を外壁パネル１０の上縁または下縁に沿わせるようにして外壁パネル１０の裏面の四隅近傍にあてがわれる。そして、長孔２０１に屋内側から挿し込まれるボルト２１が、外壁パネル１０の裏面に形成された下孔１０２に挿通され、あらかじめ外壁パネル１０の中空孔１０１内に挿着されたバネ板片付きのナット金具２２に螺合される。
【０００５】
一方、鉄骨梁３０のフランジには、鋼板からなる持出しファスナー３２等を介して、係合金具２０を係着するためのレール部材３３が添接されている。レール部材３３は、少なくとも一辺縁にリップ部３３１を有する山形鋼やＣ形鋼等からなり、そのリップ部３３１を屋内側に向けて鉄骨梁３０に結合される。鉄骨梁３０の上フランジに取り付けられる持出しファスナー３２は、レール部材３３よりも屋外側に若干延び出して、外壁パネル１０の下縁を支持し得るようになっている。そして、クレーン等によって吊り上げられた外壁パネル１０がレール部材３３の外側面に建て込まれ、係合金具２０のフック部２０２がレール部材３３のリップ部３３１に係着されて、屋内側からボルト２１が所定の締付トルクで締結される。このようにして鉄骨梁３０に直接、取り付けられた外壁パネル１０は、その四隅がレール部材３３に沿って水平方向に変位するとともに、係合金具２０に形成された長孔２０１の範囲内で上下方向に変位することで、地震等による躯体の層間変位にも好適に追従し得るものとなる。
【０００６】
また、図６は、本出願人が特許文献２に開示している外壁構造の要部を示している。この外壁構造では、躯体を構成する各階の鉄骨梁３０（最下階にあっては基礎３１）の間に、リップ付きＣ形鋼を矩形に結合した軸組フレーム３４が組み付けられている。そして、その軸組フレームの上枠及び下枠を構成するリップ付き溝形鋼３５に、前述と同様の係合金具２０を用いて屋内側からボルト２１を締結することにより外壁パネル１０が係着される。
【０００７】
ところで、このような建物の建築工事に際しては、建物の外側に、建物を囲むようにして作業用の足場が設置される。その足場は、例えば門型の足場フレームや単管等をクランプ金具で連結するなどして組み上げられるが、倒壊や揺れを防ぐため、足場の一部が「壁つなぎ」と称される部材を介して建物本体に連結される。本出願人も、前述のような外壁構造を有する鉄骨造建物に適した足場の支持構造を特許文献３に開示している。
【０００８】
該文献に開示された足場の支持構造は、鉄骨梁等にボルト・ナット締結されて外壁パネルの裏側（屋内側）に配置される屋内側取付部材と、屋内側取付部材に螺合されて外壁パネルの目地部分から表側（屋外側）に延び出す壁つなぎ部材と、壁つなぎ部材に螺合されて先端の固定アームで足場支柱を把持する支持部材本体と、を組み合わせて構成される。壁つなぎ部材の軸部は外壁パネルの目地幅に納まる太さに形成され、その軸部を挟むようにして外壁パネルが建て込まれる。そして、外装工事等が終了したら、壁つなぎ部材が屋内側取付部材から分離され、壁つなぎ部材および支持部材本体が足場とともに撤去されて、屋内側取付部材は建物側に取り残される。このような部材を利用して足場を建物の躯体に連結することにより、足場の揺れが抑えられて安全性や作業性が向上する。
【０００９】
そして、経年後の修繕工事や増改築に際しても、建物の外側に再度、足場を設置する必要が生じる。しかし、特許文献３に記載された足場の支持構造では、建物側に残されている屋内側取付部材が目地シール部材に隠されて、その正確な位置がわからなくなっているため、それらを再利用するのが難しい。
【００１０】
そこで本出願人は、特許文献４において、屋外側から外壁パネルの目地部分に壁つなぎを後付けすることのできる足場構造も提案している。その足場構造は、外壁パネルの縦目地内に挿入されて外壁パネルの裏側の軸組部材に引っ掛けられるフックボルトと、フックボルトの後端に屋外側から挿装される押えプレートおよび固定部材とを組み合わせて構成される壁つなぎ固定具によって外壁パネルを表裏から挟みつけ、該固定具に壁つなぎを連結するというものである。しかし、この壁つなぎ固定具は、目地の背後に軸組部材が配置されている箇所にしか取り付けることができず、さらに、外壁パネルを挟みつけることで外壁パネルの表面を損傷してしまうおそれもある。
【００１１】
また、足場を躯体に連結するのが難しい場合は、外壁パネルに壁つなぎを取り付けることになる。その壁つなぎは、外壁パネルに適宜の連結金具をビス止めしたり、外壁パネルに孔をあけてアンカーナットを埋め込んだり、外壁パネルに貫通孔をあけて特殊な連結金具で外壁パネルの表裏を挟み込んだりして固定される。いずれにしても、足場を外壁パネルで支持する構造は、足場を躯体に連結する構造に比べて連結箇所の引抜強度が小さくなるので、その分、壁つなぎの取付箇所を増やさざるを得ない。そして、工事が完了し、足場を撤去した後には、外壁パネルに残った多くの孔の補修が必要になる。
【先行技術文献】
【特許文献】
【００１２】
【特許文献１】特開２００１−１０７４８８号公報
【特許文献２】特開２００２−１８０５８０号公報
【特許文献３】特開平１１−１０７５２１号公報
【特許文献４】特開２０１６−５６６３９号公報
【発明の概要】
【発明が解決しようとする課題】
【００１３】
本発明は、前述のような事情に鑑みてなされたもので、経年建物の修繕工事や増改築に際し、外壁パネルに孔をあけたり外壁パネル表面の起伏模様を損傷したりすることなく、建物の屋外側から、壁つなぎを躯体に対して強固に連結することのできる外壁構造を提供することを目的としている。
【００１４】
特に、前述した外壁構造では、外壁パネルが専用の係合金具を用いて屋内側からのボルト締結作業により躯体に取り付けられているため、それを屋外側からの作業で部分的に取り外すのは難しい。そこで、このような外壁構造においても、壁つなぎを連結したい部位の外壁パネルを容易に着脱することができる外壁パネルの納まりを提供することを具体的課題とする。
【課題を解決するための手段】
【００１５】
前述の目的を達成するために本発明は、複数枚の外壁パネルが、その裏面に取り付けられたフック部を有する係合金具を用いて、建物の躯体側に設けられたリップ付きのレール部材に屋内側からのボルト締結作業によって係着された外壁構造を備える建物において、前記外壁パネルの一部が、屋外側から着脱し得る着脱可能パネルとなされた外壁構造であって、前記着脱可能パネルの裏面には、当該着脱可能パネルの裏面よりも屋内側に後退した位置から当該着脱けパネルの側縁近傍まで張り出す添接片部を備えた添接金具が取り付けられるとともに、前記着脱可能パネルの左右に隣接する外壁パネル（隣接パネル）には、その裏面の縁部に、該裏面よりも屋内側に後退した位置から前記着脱可能パネルの取付位置側へ張り出す張出片部と、該張出片部に取り付けられて屋外側から操作し得る係着部材と、を備えた係着金具が取り付けられ、前記隣接パネルの間に前記着脱可能パネルが建て込まれ、前記添接金具の前記添接片部が前記係着金具の前記張出片部に重ねられた状態で前記係着部材に係着されることにより、前記着脱可能パネルが隣接する外壁パネルに係着された、との構成を採用する。
【００１６】
さらに本発明は、前述の構成において、前記添接金具は、前記着脱可能パネルの裏面に固定される背板部と、前記背板部の側縁から持出し部を介して延設された前記添接片部と、を具備する一方、前記係着金具は、前記着脱可能パネルに隣接する外壁パネルの裏面に固定されて側方に張り出す基板と、その基板に取り付けられた係着部材と、を具備して、前記基板に前記張出片部が形成され、  前記係着部材は、前記張出片部の屋外側に固定されるブラケットと、前記ブラケットにキャップボルトを介して取り付けられた押え爪片とを具備して、前記押え爪片の先端が屋内側へ向けて斜めに屈曲されるとともに、前記キャップボルトに挿装されたコイルばねにより前記押え爪片が前記基板の張出片部から離反する向きに付勢された状態で、縦向きから横向きまでの範囲内で回動しうるように保持され、前記係着金具の前記張出片部に重ねられた前記添接金具の前記添接片部に、屋外側から前記係着金具の前記押え爪片が重ねられ、前記キャップボルトの締結により前記押え爪片が固定されて、前記着脱可能パネルが隣接する外壁パネルに係着された、との構成を採用する。
【００１７】
さらに本発明は、前述の構成において、前記着脱可能パネルが、建物の躯体を構成する各階上部の横架材に面して配置された、との構成を採用する。
【００１８】
さらに本発明は、前述の構成において、前記着脱可能パネルが取り外されて、その取り外し箇所に面する前記横架材に壁つなぎ連結金具が結合された、との構成を採用する。あるいはまた、前記着脱可能パネルの取付箇所の壁内に、壁つなぎ連結金具が、前記横架材に結合された状態で収納されている、との構成を採用する。
【発明の効果】
【００１９】
前述のように構成される本発明の外壁パネルの取付構造によれば、外壁パネルが専用の係合金具を用いて屋内側から躯体に取り付けられている外壁構造においても、その一部を屋外側から簡単に取り外すことができる。したがって、着脱可能パネルの取り外しによって露出する躯体に対し、壁つなぎ連結金具を介して壁つなぎを強固に連結することが可能になる。しかも、その連結位置は、着脱可能パネルの取り外し箇所に露出する構造材の範囲内で柔軟に選択することができる。
【００２０】
これらにより、経年建物の修繕工事や増改築に際しても、外壁パネルに孔をあけたり外壁パネル表面の起伏模様を損傷したりすることなく、建物外部の足場工事を安全かつ効率的に実施することが可能になる。
【図面の簡単な説明】
【００２１】
【図１】従来の外壁構造に用いられる外壁パネルの背面側の斜視図である。
【図２】従来の外壁構造の要部を示す縦断面図である。
【図３】従来の外壁構造における外壁パネルの下端近傍の取付形態を示す斜視図である。
【図４】同じく、外壁パネルの上端近傍の取付形態を示す斜視図である。
【図５】従来の外壁構造に用いられる係合金具の斜視図である。
【図６】従来の外壁構造に係る他の納まりの例を示す縦断面図である。
【図７】本発明の実施形態に係る外壁構造を採用した建物の立面図であって、着脱可能な外壁パネル（着脱可能パネル）の位置を示す図である。
【図８】着脱可能パネルに隣接する外壁パネル（隣接パネル）と、その裏面に取り付けられる係着金具の構成を示す斜視図である。
【図９】着脱可能パネルと、その裏面に取り付けられる添接金具の構成を示す斜視図である。
【図１０】左右の一般部パネルの間に着脱可能パネルを挟み込んで固定する構造（固定前または離脱時の状態）を示す横断面図である。
【図１１】左右の一般部パネルの間に着脱可能パネルを挟み込んで固定する構造（固定後の状態）を示す横断面図である。
【図１２】着脱可能パネルが取り付けられる部位の縦断面図であって、取り外された着脱可能パネルと、そこに取り付けられる壁つなぎ連結金具を示す図である。
【図１３】同じく、着脱可能パネルが取り付けられる部位の縦断面図であって、鉄骨梁に壁つなぎ連結金具を介して足場が支持される状態を示す図である。
【図１４】壁つなぎ連結金具の全体的構成を示す斜視図である。
【発明を実施するための形態】
【００２２】
以下、本発明の実施の形態について、図面を参照しつつ説明する。
【００２３】
図７は、本発明の外壁構造を具備する鉄骨造２階建て建物の立面図である。この建物の１階部分および２階部分には、図１〜図５に示した外壁構造によって、複数枚の外壁パネル１０が屋内側から取り付けられている。なお、前記従来の外壁構造と実質的に同一の部位・部材については詳細な説明を省略し、図中には従来と共通の符号を付す。
【００２４】
この建物は、柱、壁、窓、出入口等の配置や、それら各部位を構成する部材等の寸法が、１ｍを単位寸法とする平面設計モジュールに則って設計されている。したがって、外壁パネル１０には、１ｍ幅の広幅パネルと、０．５ｍ幅の細幅パネルとの２種類が用いられており、それらが窓等の位置に合わせて組み合わせ配置されている。
【００２５】
本発明では、これら複数枚の外壁パネル１０のうち一部の外壁パネル、または、特定の外壁パネル１０の一部を略矩形に切り欠いて、その切欠箇所に組み付けられる通常よりも小さいサイズのパネルが、着脱可能に取り付けられる。図７において斜線を付した９枚のパネルが、着脱可能に取り付けられるパネルである。以下の説明では、これらを一般部の外壁パネル１０と区別して「着脱可能パネル１２」と呼ぶ。例示した着脱可能パネル１２（Ａ、Ｂ、Ｃ、Ｄ、Ｅ、Ｆ、Ｇ、Ｈ、Ｉ）は、右下の着脱可能パネル１２（Ｉ）を除いて、躯体を構成する各階上部の横架材に面した位置に配置されている。また、これら着脱可能パネル１２の左右に隣接する一般部の外壁パネルは、特に「隣接パネル１１（ａ１、ａ２、ｂ１、ｂ２、…、ｉ）」と呼ぶ。
【００２６】
図８および図９は、２階の右側部分に取り付けられた隣接パネル１１（ａ１）および着脱可能パネル１２（Ａ）と、それらの裏面にそれぞれ取り付けられる金具の構成を示している。また、図１０および図１１は、当該着脱可能パネル１２（Ａ）を左右の隣接パネル１１（ａ１、ａ２）の間に挟み込んで固定する構造を示す横断面図である。図１０は固定前または離脱時、図１１は固定後の状態をそれぞれ示している。
【００２７】
隣接パネル１１（ａ１）は、その他一般部の外壁パネル１０と同様に、図１〜図５に示した従来と同じ構造で躯体に取り付けられる。すなわち、隣接パネル１１（ａ１）の裏面の四隅近傍には、あらかじめ図６に示した係合金具２０が取り付けられ、その隣接パネル１１（ａ１）が所定位置に建て込まれた状態で、係合金具２０のフック部２０２がレール部材３３のリップ部３３１に係着されて、屋内側からボルト２１が所定の締付トルクで締結される。このようにして鉄骨梁３０に直接、取り付けられた隣接パネル１１（ａ１、ａ２）は、一般部の外壁パネル１０と同様、その四隅がレール部材３３に沿って水平方向に変位するとともに、係合金具２０に形成された長孔２０１の範囲内で上下方向に変位することで、地震等による躯体の層間変位にも好適に追従する。
【００２８】
図示した隣接パネル１１（ａ１）は１ｍ幅の広幅パネルであり、その上角部が約０．５ｍ幅で矩形に切り欠かれ、その切欠箇所に着脱可能パネル１２（Ａ）が嵌め込まれる。着脱可能パネル１２（Ａ）に隣接する切欠箇所の裏面側縁部には、着脱可能パネル１２（Ａ）を係着するための係着金具５１があらかじめ取り付けられる。係着金具５１は、隣接パネル１１（ａ１）の裏面に固定されて側方に張り出す基板５１１と、その基板５１１に取り付けられて着脱可能パネル１２（Ａ）を押さえる係着部材５０と、からなる金具である。
【００２９】
基板５１１は、略矩形の鋼板を、その横幅方向における中間部２か所で互いに反対向きに屈曲した形状の部材であり、着脱可能パネル１２の裏面にあてがわれる固定片部５１２と、固定片部５１２の片側縁から固定片部５１２に直交して隣接パネル１１から離れる向きに延設された中間持出し部５１３と、中間持出し部５１３から固定片部５１２の反対側へ、固定片部５１２と平行になるように延設された張出片部５１４と、を具備している。固定片部５１２には上下２か所の固定孔５１５が形成されており、それらの固定孔５１５に屋内側から挿し込まれるボルト５３が、隣接パネル１１の裏面に形成された下孔（図示せず）に挿通され、さらに中空孔１０１内に挿着されたバネ板片付きのナット金具２２にそれぞれ締結される。これにより、基板５１１が、その張出片部５１４を隣接パネル１１の裏面よりも十数ｍｍ、屋内側に後退した位置から隣接パネル１１の側方へ数十ｍｍ、張り出した状態で、隣接パネル１１に固定される。
【００３０】
係着部材５０は、基板５１１の張出片部５１４に固定されるブラケット５０１と、ブラケット５０１に取り付けられる上下２個の押え爪片５０５とを具備している。ブラケット５０１は、縦長矩形の台板５０２と、台板５０２の中間部の両側縁から屋外側に延出するストッパー５０３とが一体に形成された部材で、台板５０２の中央部がボルト・ナット５０４を介して、基板５１１の張出片部５１４の屋外側の面に取り付けられている。
【００３１】
押え爪片５０５は、略矩形の板片からなる部材で、その基端近傍に軸孔（図示せず）が形成され、その軸孔に屋外側から、六角孔付きの頭部を有するキャップボルト５０６が挿通されている。このキャップボルト５０６が、その脚部に円錐形のコイルばね（図示せず）を挿装した状態で、ブラケット５０１の台板５０２に形成された雌ねじ孔（図示せず）に屋外側から締結されている。押え爪片５０５の先端は、屋内側へ向けて斜めに屈曲されている。このようにして取り付けられた押え爪片５０５は、基板５１１の張出片部５１４から離反する向きに付勢された状態で、少なくとも上下いずれかの一方が、キャップボルト５０６の軸周りに、縦向きから横向きまでの約９０度の範囲内で回動しうるようにブラケット５０１に止め付けられる。
【００３２】
図７において着脱可能パネル１２（Ａ）の左側に位置する隣接パネル１１（ａ２）の裏面にも、右側の隣接パネル（ａ１）と同じく、その四隅近傍に係合金具２０が取り付けられるとともに、着脱可能パネル１２（Ａ）に隣接する側縁部に係着金具５１が取り付けられている。
【００３３】
一方、着脱可能パネル１２（Ａ）の裏面には、隣接パネル１１（ａ１、ａ２）の係着金具５１と互いに係着される添接金具６０があらかじめ取り付けられる。添接金具６０は、着脱可能パネル１２の裏面にあてがわれて固定される正面視矩形の背板部６０１と、背板部６０１の左右両側縁から背板部６０１に直交して着脱可能パネル１２から離れる向きに延設された左右一対の持出し部６０２と、背板部６０１の上下両側縁から背板部６０１に直交して着脱可能パネル１２から離れる向きに延設された上下一対の補剛折片６０３と、左右の持出し部６０２から背板部６０１の反対側へ、背板部６０１と平行になるようにそれぞれ延設された左右一対の添接片部６０４と、を具備している。
【００３４】
背板部６０１には左右２か所の固定孔６０５が形成されており、それらの固定孔６０５に屋内側から挿し込まれるボルト６１が、着脱可能パネル１２の裏面に形成された下孔１０２に挿通され、さらに着脱可能パネル１２の中空孔１０１内に挿着されたバネ板片付きのナット金具２２にそれぞれ締結される。
【００３５】
これにより、添接金具６０が、左右の添接片部６０４のいずれか一方を、着脱可能パネル１２の裏面よりも十数ｍｍ、屋内側に後退した位置から着脱可能パネル１２の側縁近傍まで張り出した状態で、着脱可能パネル１２に固定される。
【００３６】
隣接パネル１１および着脱可能パネル１２の取り付けに際しては、図１０および図１１に示すように、まず、着脱可能パネル１２の取付位置を挟む左右の隣接パネル１１を躯体に取り付けておく。そして、それら左右の隣接パネル１１の係着金具５１の押え爪片５０５を、あらかじめ縦向きにした状態で、それらの間に、正面から着脱可能パネル１２を建て込む。すると、着脱可能パネル１２に取り付けられた添接金具６０の添接片部６０４が、左右の隣接パネル１１にそれぞれ取り付けられた係着金具５１の張出片部５１４に当接するので、隣接パネル１１と着脱可能パネル１２との間の目地部分に工具を挿し入れ、係着金具５１の押え爪片５０５を９０度回動させて添接金具６０の添接片部６０４に重ねる。この状態で、着脱可能パネル１２の位置や傾きを適宜、微調整しながら、目地部分に挿し入れた工具で係着金具５１のキャップボルト５０６を締結し、押え爪片５０５を固定する。その後、各パネル間の目地部分にシーリング処理を施して、外壁パネル１０の取付作業が終了する。こうして、屋外側からの作業だけで、着脱可能パネル１２を隣接パネル１１に係着することができる。
【００３７】
このような構造によって隣接パネル１１に取り付けられる着脱可能パネル１２は、キャップボルト５０６の締付トルクを適切に管理することで、地震等による躯体の層間変位に対し、隣接パネル１１を含む他の外壁パネル１０と同様の追従性能を発揮する。そして、リフォーム等のために足場を設置する必要が生じたときには、前述の取り付け手順と逆の手順で目地のシーリング材を剥がし、目地内に工具等を挿し入れて係着金具５１の押え爪片５０５を回動させることにより、屋外側からの作業だけで着脱可能パネル１２を取り外すことができる。着脱可能パネル１２は基本的に、他の外壁パネルよりも小さいサイズに形成されているので、その位置は目地割りから容易に判別可能である。
【００３８】
図７に示したように、大部分の着脱可能パネル１２は、基本的に躯体を構成する各階上部の横架材に面して配置されている。したがって、１階上部の着脱可能パネル１２（Ｅ、Ｆ、Ｇ、Ｈ）を取り外すと、２階部分を支持する梁または桁の側面が露出し、２階上部の着脱可能パネル１２（Ａ、Ｂ、Ｃ、Ｄ）を取り外すと、小屋組を支持する梁または桁の側面が露出する。本発明によれば、着脱可能パネル１２を取り外すことにより、それらの横架材に対して後から壁つなぎ等を連結することが可能になる。
【００３９】
図１２および図１３は、鉄骨梁３０に壁つなぎを介して足場を連結する構造を説明する縦断面図であり、図１４は、その鉄骨梁３０に取り付けられる壁つなぎ連結金具７０の構成を示す斜視図である。例示形態では、着脱可能パネル１２の高さがＨ形鋼からなる鉄骨梁３０の高さと略同寸に設定されており、着脱可能パネル１２を取り外すことによって、鉄骨梁３０の高さの略全体が露出する。
【００４０】
鉄骨梁３０の側面の適所にあらかじめスチフナ（図示せず）等が接合されている場合には、そのスチフナ等に壁つなぎ連結金具７０を連結することが可能であるが、スチフナ等がない場合は、鉄骨梁３０の側面にスチフナに相当する梁中金具８０を取り付けて、その梁中金具８０に壁つなぎ連結金具７０を連結する。
【００４１】
梁中金具８０は、鉄骨梁３０の上下のフランジとウェブとに囲まれた溝形の領域に、鉄骨梁３０の材軸と直交する姿勢で配置される直立補剛板８１と、上下のフランジに添うように直立補剛板８１の上下両端にそれぞれ接合された取付板部８２とを具備し、取付板部８２はその一部がウェブに添うようにＬ字形に屈曲して延び出している。そして、上下の各取付板部８２が鉄骨梁３０の上下フランジに対し、各々に形成された複数箇所の取付孔８３、３０１同士を重ねてボルト・ナット綴着することにより結合される。
【００４２】
壁つなぎ連結金具７０は、梁中金具８０の直立補剛板８１に取り付けられる基片７１と、基片７１に連結される壁つなぎ連結板７２と、壁つなぎ連結板７２の先端から突出する壁つなぎ連結ボルト７３と、壁つなぎ連結ボルト７３に螺装された高ナット７４と、を具備する。基片７１は、直立補剛板８１の上部寄りに、各々に形成された取付孔７１１、８４同士を重ねてボルト・ナット綴着することにより結合される。
【００４３】
壁つなぎ連結板７２は、その基端が基片７１の先端近傍にピン部材７５を介して連結され、上下方向に回動し得るように保持される。壁つなぎ連結板７２の長さは、略水平にしたときに、その先端が外壁パネル１０の表面よりも数ｃｍ程度、屋外側に突出するように形成されている。壁つなぎ連結ボルト７３は壁つなぎ連結板７２に溶接されて、その突出部分に高ナット７４が螺装されている。
【００４４】
壁つなぎ本体９０は、その基端側に突出するボルト軸部９１を有し、該ボルト軸部９１を高ナット７４に螺合させて、壁つなぎ連結金具７０に連結される。壁つなぎ本体９０の先端側は、例えば特許文献３に開示されたような公知の構成によって足場支柱９２を支持する。
【００４５】
こうして、外壁パネル１０が専用の係合金具２０を用いて屋内側から躯体に取り付けられている外壁構造においても、その一部を屋外側から取り外し、躯体に壁つなぎを連結することができる。しかも、その連結位置は、着脱可能パネル１２の取り外し箇所に露出する横架材その他の構造材の範囲内で柔軟に選択することができる。
【００４６】
また、図１３中に想像線で示したように、新築工事またはリフォーム工事の終了後、鉄骨梁３０に取り付けた壁つなぎ連結金具７０を縦向きに回動させて鉄骨梁３０の側面に添わせ、着脱可能パネル１２の裏側に収納しておくことも可能である。このような外壁構造を採用すれば、着脱可能パネル１２を取り外す都度、壁つなぎ連結金具７０を手軽に何度でも再利用することができる。
【００４７】
また、前述のような着脱可能パネル１２は、足場の連結だけでなく、例えば地震後に建物の主要構造部を点検するための開口部とするなど、他の用途にも利用することができる。その着脱可能パネル１２を設ける位置や大きさは、躯体の層間変位に対する外壁パネルの追従性能を阻害せず、かつ、壁内の断熱材や耐火被覆等の再施工を要さない範囲において、任意に設定することができる。図７中に示した１階右側の着脱可能パネル１２（Ｉ）は、壁内の点検口として、広幅の外壁パネル１０の中央付近をくり抜くように設けたものである。
【００４８】
また、着脱可能パネル１２を設ける位置によっては、それを係着するための係着金具５１の一部を、隣接パネル１１ではなく、建物の軸組部材等に取り付けてもよい。その場合は、係着金具５１の基板５１１の形状を、当該軸組部材等の形状等に合わせて適宜、改変する。
【００４９】
なお、本発明の技術的範囲は、例示した実施の形態によって限定的に解釈されるべきものではなく、特許請求の範囲の記載に基づいて概念的に解釈されるべきものである。本発明は、例示したような上下方向に連通する中空孔１０１を有する外壁パネル１０だけでなく、他の断面形状を有するパネル類や、ＡＬＣ壁板、サイディングボード等の交換にも適用可能である。また、本発明の実施に際しては、例示形態と実質的に同様の作用効果が得られる範囲において、各外壁パネルの形状や取り付け部位に応じ、係着金具５１、添接金具６０、壁つなぎ、足場本体の形状等は適宜、改変して実施することもできる。
【符号の説明】
【００５０】
１０  外壁パネル
１１  隣接パネル
１２  着脱可能パネル
１０１  中空孔
１０２  下孔
２０  係合金具
２０１  長孔
２０２  フック部
２１  ボルト
２２  ナット金具
３０  鉄骨梁
３０１  取付孔
３１  基礎
３２  持出しファスナー
３３  レール部材
３３１  リップ部
３４  軸組フレーム
３５  リップ付き溝形鋼
５０  係着部材
５０１  ブラケット
５０２  台板
５０３  ストッパー
５０４  ボルト・ナット
５０５  押え爪片
５０６  キャップボルト
５１  係着金具
５１１  基板
５１２  固定片部
５１３  中間持出し部
５１４  張出片部
５１５  固定孔
６０  添接金具
６０１  背板部
６０２  持出し部
６０３  補剛折片
６０４  添接片部
６０５  固定孔
６１  ボルト
７０  壁つなぎ連結金具
７１  基片
７２  壁つなぎ連結板
７３  壁つなぎ連結ボルト
７４  高ナット
７５  ピン部材
８０  梁中金具
８１  直立補剛板
８２  取付板部
８３  取付孔
８４  取付孔
９０  壁つなぎ本体
９１  ボルト軸部
９２  足場支柱
【図１】
2018071108.tif 000003
【図２】
2018071108.tif 000004
【図３】
2018071108.tif 000005
【図４】
2018071108.tif 000006
【図５】
2018071108.tif 000007
【図６】
2018071108.tif 000008
【図７】
2018071108.tif 000009
【図８】
2018071108.tif 000010
【図９】
2018071108.tif 000011
【図１０】
2018071108.tif 000012
【図１１】
2018071108.tif 000013
【図１２】
2018071108.tif 000014
【図１３】
2018071108.tif 000015
【図１４】
2018071108.tif 000016
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
複数枚の外壁パネルが、その裏面に取り付けられたフック部を有する係合金具を用いて、建物の躯体側に設けられたリップ付きのレール部材に屋内側からのボルト締結作業によって係着された外壁構造を備える建物において、
外壁の一部に、屋外側から着脱し得る着脱可能パネルが取り付けられた外壁構造であって、
前記着脱可能パネルの裏面には、当該着脱可能パネルの裏面よりも屋内側に後退した位置から当該着脱可能パネルの側縁近傍まで張り出す添接片部を備えた添接金具が取り付けられるとともに、
前記着脱可能パネルの左右に隣接する外壁パネルには、その裏面の縁部に、該裏面よりも屋内側に後退した位置から前記着脱可能パネルの取付位置側へ張り出す張出片部と、該張出片部に取り付けられて屋外側から操作し得る係着部材と、を備えた係着金具が取り付けられ、
前記隣接する外壁パネルの間に前記着脱可能パネルが建て込まれ、前記添接金具の前記添接片部が前記係着金具の前記張出片部に重ねられた状態で前記係着部材に係着されることにより、前記着脱可能パネルが隣接する外壁パネルに係着された
ことを特徴とする外壁構造。
【請求項２】
請求項１に記載された外壁構造において、
前記添接金具は、前記着脱可能パネルの裏面に固定される背板部と、前記背板部の側縁から持出し部を介して延設された前記添接片部と、を具備する一方、
前記係着金具は、前記着脱可能パネルに隣接する外壁パネルの裏面に固定されて側方に張り出す基板と、その基板に取り付けられた係着部材と、を具備して、前記基板に前記張出片部が形成され、
前記係着部材は、前記張出片部の屋外側に固定されるブラケットと、前記ブラケットにキャップボルトを介して取り付けられた押え爪片とを具備して、前記押え爪片の先端が屋内側へ向けて斜めに屈曲されるとともに、前記キャップボルトに挿装されたコイルばねにより前記押え爪片が前記基板の張出片部から離反する向きに付勢された状態で、縦向きから横向きまでの範囲内で回動しうるように保持され、
前記係着金具の前記張出片部に重ねられた前記添接金具の前記添接片部に、屋外側から前記係着金具の前記押え爪片が重ねられ、前記キャップボルトの締結により前記押え爪片が固定されて、前記着脱可能パネルが隣接する外壁パネルに係着された
ことを特徴とする外壁構造。
【請求項３】
請求項１または２に記載された外壁構造において、
前記着脱可能パネルが、建物の躯体を構成する各階上部の横架材に面して配置された
ことを特徴とする外壁構造。
【請求項４】
請求項３に記載された外壁構造において、
前記着脱可能パネルが取り外されて、その取り外し箇所に面する前記横架材に壁つなぎ連結金具が結合された
ことを特徴とする外壁構造。
【請求項５】
請求項３に記載された外壁構造において、
前記着脱可能パネルの取付箇所の壁内に、壁つなぎ連結金具が、前記横架材に結合された状態で収納されている
ことを特徴とする外壁構造。 
【手続補正２】
【補正対象書類名】明細書
【補正対象項目名】００１４
【補正方法】変更
【補正の内容】
【００１４】
特に、前述した外壁構造では、外壁パネルが専用の係合金具を用いて屋内側からのボルト締結作業により躯体に取り付けられているため、それを屋外側からの作業で部分的に取り外すのは難しい。そこで、このような外壁構造においても、壁つなぎを連結したい部位のパネルを容易に着脱することができる外壁構造を提供することを具体的課題とする。 
【手続補正３】
【補正対象書類名】明細書
【補正対象項目名】００１５
【補正方法】変更
【補正の内容】
【００１５】
前述の目的を達成するために本発明は、複数枚の外壁パネルが、その裏面に取り付けられたフック部を有する係合金具を用いて、建物の躯体側に設けられたリップ付きのレール部材に屋内側からのボルト締結作業によって係着された外壁構造を備える建物において、外壁の一部に、屋外側から着脱し得る着脱可能パネルが取り付けられた外壁構造であって、前記着脱可能パネルの裏面には、当該着脱可能パネルの裏面よりも屋内側に後退した位置から当該着脱可能パネルの側縁近傍まで張り出す添接片部を備えた添接金具が取り付けられるとともに、前記着脱可能パネルの左右に隣接する外壁パネルには、その裏面の縁部に、該裏面よりも屋内側に後退した位置から前記着脱可能パネルの取付位置側へ張り出す張出片部と、該張出片部に取り付けられて屋外側から操作し得る係着部材と、を備えた係着金具が取り付けられ、前記隣接する外壁パネルの間に前記着脱可能パネルが建て込まれ、前記添接金具の前記添接片部が前記係着金具の前記張出片部に重ねられた状態で前記係着部材に係着されることにより、前記着脱可能パネルが隣接する外壁パネルに係着された、との構成を採用する。 
【手続補正４】
【補正対象書類名】明細書
【補正対象項目名】００１９
【補正方法】変更
【補正の内容】
【００１９】
前述のように構成される本発明の外壁構造によれば、外壁パネルが専用の係合金具を用いて屋内側から躯体に取り付けられている外壁構造においても、外壁の一部に取り付けられた着脱可能パネルを屋外側から簡単に取り外すことができる。したがって、着脱可能パネルの取り外しによって露出する躯体に対し、壁つなぎ連結金具を介して壁つなぎを強固に連結することが可能になる。しかも、その連結位置は、着脱可能パネルの取り外し箇所に露出する構造材の範囲内で柔軟に選択することができる。
【手続補正５】
【補正対象書類名】明細書
【補正対象項目名】００２１
【補正方法】変更
【補正の内容】
【００２１】
【図１】従来の外壁構造に用いられる外壁パネルの背面側の斜視図である。
【図２】従来の外壁構造の要部を示す縦断面図である。
【図３】従来の外壁構造における外壁パネルの下端近傍の取付形態を示す斜視図である。
【図４】同じく、外壁パネルの上端近傍の取付形態を示す斜視図である。
【図５】従来の外壁構造に用いられる係合金具の斜視図である。
【図６】従来の外壁構造に係る他の納まりの例を示す縦断面図である。
【図７】本発明の実施形態に係る外壁構造を採用した建物の立面図であって、着脱可能パネルの位置を示す図である。
【図８】着脱可能パネルに隣接する外壁パネル（隣接パネル）と、その裏面に取り付けられる係着金具の構成を示す斜視図である。
【図９】着脱可能パネルと、その裏面に取り付けられる添接金具の構成を示す斜視図である。
【図１０】左右の隣接パネルの間に着脱可能パネルを挟み込んで固定する構造（固定前または離脱時の状態）を示す横断面図である。
【図１１】左右の隣接パネルの間に着脱可能パネルを挟み込んで固定する構造（固定後の状態）を示す横断面図である。
【図１２】着脱可能パネルが取り付けられる部位の縦断面図であって、取り外された着脱可能パネルと、そこに取り付けられる壁つなぎ連結金具を示す図である。
【図１３】同じく、着脱可能パネルが取り付けられる部位の縦断面図であって、鉄骨梁に壁つなぎ連結金具を介して足場が支持される状態を示す図である。
【図１４】壁つなぎ連結金具の全体的構成を示す斜視図である。
【手続補正６】
【補正対象書類名】明細書
【補正対象項目名】００２５
【補正方法】変更
【補正の内容】
【００２５】
本発明では、これら複数枚の外壁パネル１０のうち特定の外壁パネル１０の一部を略矩形に切り欠いて、その切欠箇所に着脱可能なパネルが取り付けられる。あるいは、一部の外壁パネル１０に代えて、その箇所に着脱可能なパネルが取り付けられる。図７において斜線を付した９枚のパネルが、着脱可能に取り付けられるパネルである。以下の説明では、これらを一般部の外壁パネル１０と区別して「着脱可能パネル１２」と呼ぶ。例示した着脱可能パネル１２（Ａ、Ｂ、Ｃ、Ｄ、Ｅ、Ｆ、Ｇ、Ｈ、Ｉ）は、右下の着脱可能パネル１２（Ｉ）を除いて、躯体を構成する各階上部の横架材に面した位置に配置されている。また、これら着脱可能パネル１２の左右に隣接する一般部の外壁パネルは、特に「隣接パネル１１（ａ１、ａ２、ｂ１、ｂ２、…、ｉ）」と呼ぶ。 
【手続補正７】
【補正対象書類名】明細書
【補正対象項目名】００３６
【補正方法】変更
【補正の内容】
【００３６】
隣接パネル１１および着脱可能パネル１２の取り付けに際しては、図１０および図１１に示すように、まず、着脱可能パネル１２の取付位置を挟む左右の隣接パネル１１を躯体に取り付けておく。そして、それら左右の隣接パネル１１の係着金具５１の押え爪片５０５を、あらかじめ縦向きにした状態で、それらの間に、正面から着脱可能パネル１２を建て込む。すると、着脱可能パネル１２に取り付けられた添接金具６０の添接片部６０４が、左右の隣接パネル１１にそれぞれ取り付けられた係着金具５１の張出片部５１４に当接するので、隣接パネル１１と着脱可能パネル１２との間の目地部分に工具を挿し入れ、係着金具５１の押え爪片５０５を９０度回動させて添接金具６０の添接片部６０４に重ねる。この状態で、着脱可能パネル１２の位置や傾きを適宜、微調整しながら、目地部分に挿し入れた工具で係着金具５１のキャップボルト５０６を締結し、押え爪片５０５を固定する。その後、各パネル間の目地部分にシーリング処理を施して、パネル取付作業が終了する。こうして、屋外側からの作業だけで、着脱可能パネル１２を隣接パネル１１に係着することができる。 
【手続補正８】
【補正対象書類名】明細書
【補正対象項目名】００３７
【補正方法】変更
【補正の内容】
【００３７】
このような構造によって隣接パネル１１に取り付けられる着脱可能パネル１２は、キャップボルト５０６の締付トルクを適切に管理することで、地震等による躯体の層間変位に対し、隣接パネル１１を含む他の外壁パネル１０と同様の追従性能を発揮する。そして、リフォーム等のために足場を設置する必要が生じたときには、前述の取り付け手順と逆の手順で目地のシーリング材を剥がし、目地内に工具等を挿し入れて係着金具５１の押え爪片５０５を回動させることにより、屋外側からの作業だけで着脱可能パネル１２を取り外すことができる。着脱可能パネル１２は基本的に、一般部の外壁パネル１０よりも小さいサイズに形成されているので、その位置は目地割りから容易に判別可能である。 
【手続補正９】
【補正対象書類名】明細書
【補正対象項目名】００４５
【補正方法】変更
【補正の内容】
【００４５】
こうして、外壁パネル１０が専用の係合金具２０を用いて屋内側から躯体に取り付けられている外壁構造においても、外壁の一部に取り付けられた着脱可能パネル１２を屋外側から取り外し、躯体に壁つなぎを連結することができる。しかも、その連結位置は、着脱可能パネル１２の取り外し箇所に露出する横架材その他の構造材の範囲内で柔軟に選択することができる。 
【手続補正１０】
【補正対象書類名】明細書
【補正対象項目名】００４９
【補正方法】変更
【補正の内容】
【００４９】
なお、本発明の技術的範囲は、例示した実施の形態によって限定的に解釈されるべきものではなく、特許請求の範囲の記載に基づいて概念的に解釈されるべきものである。本発明は、例示したような上下方向に連通する中空孔１０１を有する外壁パネル１０だけでなく、他の断面形状を有するパネル類や、ＡＬＣ壁板、サイディングボード等の交換にも適用可能である。また、本発明の実施に際しては、例示形態と実質的に同様の作用効果が得られる範囲において、各パネルの形状や取り付け部位に応じ、係着金具５１、添接金具６０、壁つなぎ、足場本体の形状等は適宜、改変して実施することもできる。